(57)【要約】【課題】  パワーセーブモードからパワーオンモードに復帰してから無線ＬＡＮアクセスポイントとの通信が可能になるまでの期間を短縮することができるようにする。【解決手段】  第１の動作モードと、前記第１の動作モードよりも消費電力が少ない第２の動作モードとを有する通信装置２０であって、所定の無線ＬＡＮアクセスポイント４０との通信に用いたチャネルを示すチャネル情報を記憶する記憶手段と、前記無線通信装置の動作モードが前記第２の動作モードから前記第１の動作モードに復帰した場合、最初に前記チャネル情報が示すチャネルを用いて前記所定の無線ＬＡＮアクセスポイント４０を探すように制御する制御手段とを有する通信装置２０を提供する。【選択図】  図１
2006086596.tif 000002
【特許請求の範囲】
【請求項１】
第１の動作モードと、前記第１の動作モードよりも消費電力が少ない第２の動作モードとを有する無線通信装置であって、
所定の無線ＬＡＮアクセスポイントとの通信に用いたチャネルを示すチャネル情報を記憶する記憶手段と、
前記無線通信装置の動作モードが前記第２の動作モードから前記第１の動作モードに復帰した場合、最初に前記チャネル情報が示すチャネルを用いて前記所定の無線ＬＡＮアクセスポイントを探すように制御する制御手段とを有することを特徴とする無線通信装置。
【発明の詳細な説明】
【技術分野】
【０００１】
本発明は、デジタルカメラ、デジタルビデオカメラ等の撮像装置からの画像ファイルを無線で転送する無線通信装置に関する。
【背景技術】
【０００２】
最近のデジタルカメラは、撮影されたデジタル画像をメモリカード等の記憶媒体に保存する機能だけでなく、撮影されたデジタル画像をＩＥＥＥ１３９４シリアルバス、ＵＳＢ（Ｕｎｉｖｅｒｓａｌ  Ｓｅｒｉａｌ  Ｂｕｓ）等に準拠したネットワークインターフェースを介して他の装置に転送する機能を有する。例えば、特許文献１には、撮影されたデジタル画像を無線ＬＡＮカードを介してファイルサーバに転送するデジタルカメラが提案されている。
【特許文献１】特開２００３−２８３９００号公報
【発明の開示】
【発明が解決しようとする課題】
【０００３】
通常、デジタルカメラ等の撮像装置は、一部の機能を使用できないようにして消費電力を抑える動作モード（以下、パワーセーブモード）を有する。例えば、パワーセーブモードがオンであるとき、撮像装置は液晶表示器、ネットワークインターフェース等の機能をオフにする。撮像装置に内蔵或いは接続されている通信装置で消費される電力を削減するためには、撮像装置がパワーセーブモードであるときに通信装置もパワーセーブモードにすることが望ましい。
【０００４】
しかしながら、撮像装置に内蔵或いは接続されている通信装置が無線ＬＡＮアクセスポイントに接続する装置である場合は、パワーセーブモードからパワーオンモードに復帰する際に無線ＬＡＮアクセスポイントとの通信に使用するチャネルを所定の手順に従ってスキャンし直さなければならない。そのため、パワーセーブモードからパワーオンモードに復帰してから無線ＬＡＮアクセスポイントとの通信が可能になるまで時間がかかり、撮像装置で撮影されたデジタル画像を直ちにファイルサーバに送信することができず、シャッターチャンスを逃してしまう恐れがある。
【０００５】
そこで、本発明は、パワーセーブモードからパワーオンモードに復帰してから無線ＬＡＮアクセスポイントとの通信が可能になるまでの期間を短縮することを目的とする。
【課題を解決するための手段】
【０００６】
本発明に係る無線通信装置は、第１の動作モードと、前記第１の動作モードよりも消費電力が少ない第２の動作モードとを有する無線通信装置であって、所定の無線ＬＡＮアクセスポイントとの通信に用いたチャネルを示すチャネル情報を記憶する記憶手段と、前記無線通信装置の動作モードが前記第２の動作モードから前記第１の動作モードに復帰した場合、最初に前記チャネル情報が示すチャネルを用いて前記所定の無線ＬＡＮアクセスポイントを探すように制御する制御手段とを有することを特徴とする。
【発明の効果】
【０００７】
本発明によれば、パワーセーブモードからパワーオンモードに復帰してから無線ＬＡＮアクセスポイントとの通信が可能になるまでの期間を短縮することができる。
【発明を実施するための最良の形態】
【０００８】
以下、図面を参照して本発明の好適な実施形態を説明する。
【０００９】
（第１の実施形態）
まず、図１を参照して本発明の第１の実施形態に係る撮像システムの構成の一例を説明する。
【００１０】
撮像装置１０は、デジタルカメラ又はデジタルカメラとして動作する装置（デジタルビデオカメラ等）である。
【００１１】
また、撮像装置１０は、パワーオンモードとパワーセーブモードとを有する装置である。パワーオンモードは、撮像装置１０の全ての機能を使用できる動作モードである。撮像装置１０の電源をオンにした場合、撮像装置１０はパワーオンモードになる。パワーセーブモードは、パワーオンモードよりも消費電力が少ない動作モードである。パワーセーブモードであるとき、撮像装置１０は一部の機能しか使用できない。第１の所定期間が経過するまでの間にユーザが撮像装置１０を操作しなかった場合、撮像装置１０はパワーセーブモードを自動的にオンにする。パワーセーブモードをオンにしてから第２の所定期間が経過するまでの間にユーザが撮像装置１０を操作しなかった場合、撮像装置１０は撮像装置１０の電源を自動的にオフにする。また、パワーセーブモードがオンになってから第２の所定期間が経過するまでの間にユーザが撮像装置１０を操作した場合、撮像装置１０はパワーセーブモードを自動的にオフにしてパワーオンモードに復帰する。ここで、第２の所定期間は、第１の所定期間と同じであっても、第１の所定期間よりも長くてもよい。
【００１２】
通信装置２０は、撮像装置１０から通信装置２０に転送された画像ファイルを、ＩＥＥＥ８０２．１１ａ、ＩＥＥＥ８０２．１１ｂ、ＩＥＥＥ８０２．１１ｇ等に準拠した無線ＬＡＮアクセスポイント４０（以下、ＡＰ４０）を介してファイルサーバ５０に転送する装置である。
【００１３】
また、通信装置２０は、パワーオンモードとパワーセーブモードとを有する装置である。パワーオンモードは、通信装置２０の全ての機能が使用できる動作モードである。通信装置２０の電源をオンにした場合、通信装置２０はパワーオンモードになる。パワーセーブモードは、パワーオンモードよりも消費電力が少ない動作モードである。パワーセーブモードであるとき、通信装置２０は一部の機能しか使用できない。通信装置２０は、転送すべき画像ファイルがなくなってから所定時間が経過した後、パワーセーブモードを自動的にオンにする。また、通信装置２０は、撮像装置１０がパワーセーブモードであることを検出したときにパワーセーブモードをオンにし、撮像装置１０がパワーオンモードであることを検出したときにパワーセーブモードからパワーオンモードに復帰する。
【００１４】
なお、通信装置２０は、ＩＥＥＥ１３９４シリアルバス、ＵＳＢ（Ｕｎｉｖｅｒｓａｌ  Ｓｅｒｉａｌ  Ｂｕｓ）等に準拠したネットワークインターフェースを介して撮像装置１０に接続されるものであっても、記憶媒体３０を接続するためのインターフェースに接続されるものであっても、撮像装置１０に内蔵されたものであってもよい。第１の実施形態では、通信装置２０と撮像装置１０とを、ＩＥＥＥ１３９４シリアルバス、ＵＳＢ（Ｕｎｉｖｅｒｓａｌ  Ｓｅｒｉａｌ  Ｂｕｓ）等に準拠したネットワークインターフェースを介して接続する場合を説明する。
【００１５】
また、通信装置２０は、通信装置２０に接続されたバッテリから電力の供給を受ける装置であっても、撮像装置１０から電力の供給を受ける装置であってもよい。第１の実施形態では、通信装置２０が通信装置２０に接続されたバッテリから電力の供給を受ける装置である場合を説明する。
【００１６】
記憶媒体３０は、メモリカード（不揮発性メモリを内蔵したカード状の記憶媒体）、ハードディスク装置等の記憶媒体であり、撮像装置１０に装着することも、撮像装置１０から取り外すこともできる。
【００１７】
次に、図２を参照して撮像装置１０の構成の一例を説明する。
【００１８】
撮像部１０１は、シャッターボタンが全押し状態にされた場合、撮像素子（ＣＣＤイメージセンサー、ＣＭＯＳイメージセンサー等）によって受光された光を電気信号に変換し、その電気信号をデジタル化してデジタル画像を生成し、生成したデジタル画像を第１バッファメモリ１０２に格納する。シャッターボタンを全押し状態にし続けた場合、撮像部１０１は、第１バッファメモリ１０２がフルになるまでデジタル画像を撮影し続ける。第１バッファメモリ１０２は、複数のデジタル画像を記憶する容量を有する。
【００１９】
画像処理部１０３は、第１バッファメモリ１０２からデジタル画像を読み出し、そのデジタル画像に現像処理を施す。現像処理には、ホワイトバランスの調整、シャープネスの調整、コントラストの調整、色空間の調整、解像度の調整等が含まれる。現像処理は、ユーザによる設定が可能である。画像処理部１０３は、第２バッファメモリ１０５に所定枚の画像ファイルが記憶されるまで第１バッファメモリ１０２からデジタル画像を読み出し、現像処理を行う。
【００２０】
圧縮伸長部１０４は、画像処理部１０３で処理されたデジタル画像をＪＰＥＧ、ＪＰＥＧ２０００等の画像圧縮方法に従って圧縮する機能と、圧縮されたデジタル画像を伸長する機能とを有する。圧縮率は、ユーザによる設定が可能である。
【００２１】
メイン制御部１０８は、不揮発性メモリ１１０内の制御プログラムに従って撮像装置１０を制御するマイクロコンピュータを有する。また、メイン制御部１０８は、圧縮伸長部１０４で圧縮されたデジタル画像とそのデジタル画像の付加情報とを含む画像ファイルを生成し、生成した画像ファイルを第２バッファメモリ１０５に格納する機能を有する。付加情報には、デジタル画像に関する情報、撮像装置１０に関する情報、デジタル画像のサムネイル等が含まれる。第２バッファメモリ１０５は、複数の画像ファイルを記憶する容量を有する。また、メイン制御部１０８は、撮像装置１０の動作モードをパワーオンモード又はパワーセーブモードに変更する機能を有する。
【００２２】
表示部１０６は、液晶表示器等の表示器を有し、その表示器に様々な情報を表示する。表示部１０６は、撮像装置１０に関する情報を表示する機能と、撮影されたデジタル画像の縮小画像を表示する機能と、記憶媒体３０に保存されたデジタル画像の縮小画像を表示する機能等を有する。記憶媒体３０に保存されたデジタル画像の縮小画像を表示する場合にはそのデジタル画像に関する情報も表示することができる。また、表示部１０６は、設定メニュー等のグラフィカルユーザインターフェースを提供する機能を有する。
【００２３】
記憶媒体インターフェース１０７は、第２バッファメモリ１０５に格納された画像ファイルを記憶媒体３０に書き込む機能と、記憶媒体３０に保存された画像ファイルを記憶媒体３０から読み出して第２バッファメモリ１０５に書き込む機能とを有する。
【００２４】
操作部１０９は、撮像装置１０を操作するためのユーザインターフェースであり、撮像装置１０の電源をオン又はオフするための電源スイッチ、撮影の開始を指示するためのシャッターボタン、表示部１０６に設定メニューを表示するためのメニューボタン、表示部１０６に表示されたカーソルを上下左右に移動するための十字ボタン、カーソルが選択している画像又は項目を選択する選択ボタン等を有する。シャッターボタンには、半押し状態と全押し状態とがある。シャッターボタンが半押し状態にされると、撮像装置１０はＡＦ、ＡＥ等を実行し、シャッターボタンが全押し状態にされると、撮像装置１０はデジタル画像の撮影を実行する。
【００２５】
不揮発性メモリ１１０には、撮像装置１０を制御するための制御プログラム、撮像装置１０に関する情報等が記憶されている。また、不揮発性メモリ１１０には、ＡＰ４０に関する情報、ファイルサーバ５０に関する情報（ＩＰアドレス等）等が記憶されている。ＡＰ４０に関する情報、ファイルサーバ５０に関する情報等は、操作部１０９から入力することも、記憶媒体３０から入力することもできる。
【００２６】
ネットワークインターフェース１１１は、ＩＥＥＥ１３９４シリアルバス、ＵＳＢ（Ｕｎｉｖｅｒｓａｌ  Ｓｅｒｉａｌ  Ｂｕｓ）等に準拠したものであり、第２バッファメモリ１０５に格納された画像ファイルを通信装置２０に転送する。また、ネットワークインターフェース１１１は、撮像装置１０に関する情報、ＡＰ４０に関する情報、ファイルサーバ５０に関する情報等を通信装置２０に転送する。
【００２７】
次に、図３を参照して通信装置２０の構成の一例を説明する。
【００２８】
ネットワークインターフェース２０１は、ＩＥＥＥ１３９４シリアルバス、ＵＳＢ（Ｕｎｉｖｅｒｓａｌ  Ｓｅｒｉａｌ  Ｂｕｓ）等に準拠したものであり、撮像装置１０から通信装置２０に転送された画像ファイルを受信する。ネットワークインターフェース２０１で受信された画像ファイルは、バッファメモリ２０２に格納される。バッファメモリ２０２は、複数の画像ファイルを記憶する容量を有する。また、撮像装置１０に関する情報、ＡＰ４０に関する情報、ファイルサーバ５０に関する情報等を撮像装置１０から受信する。
【００２９】
無線ＬＡＮインターフェース２０３は、バッファメモリ２０２に格納されている画像ファイルを読み出し、読み出した画像ファイルをＡＰ４０を介してファイルサーバ５０に転送する。
【００３０】
操作部２０４は、通信装置２０を操作するためのユーザインターフェースであり、通信装置２０の電源をオン又はオフするためのスイッチ等を有する。
【００３１】
メイン制御部２０５は、不揮発性メモリ２０６内の制御プログラムに従って通信装置２０を制御するマイクロコンピュータを有する。また、メイン制御部２０５は、撮像装置１０の動作モードを検出する機能と、撮像装置１０の動作モードに応じて通信装置２０の動作モードをパワーオンモード又はパワーセーブモードに変更する機能とを有する。
【００３２】
不揮発性メモリ２０６には、通信装置２０を制御するための制御プログラムが記憶されている。また、不揮発性メモリ２０６には、通信装置２０に関する情報、撮像装置１０に関する情報、ＡＰ４０に関する情報、ファイルサーバ５０に関する情報等が記憶されている。なお、撮像装置１０に関する情報、ＡＰ４０に関する情報及びファイルサーバ５０に関する情報は、撮像装置１０から受信され、不揮発性メモリ２０６に格納される。
【００３３】
表示部２０７は、液晶表示器等の表示器を有し、その表示器に様々な情報を表示する。表示部２０７は、通信中であるか否かを示す情報を表示する機能と、現在の転送レートを示す情報を表示する機能と、現在の通信状況を示す情報を表示する機能と、エラーを示す情報を表示する機能と、通信装置２０のバッテリの残量を示す情報を表示する機能等を有する。なお、パワーセーブモードがオンになったとき、メイン制御部２０５は表示部２０７をオフにする。
【００３４】
メモリ２０８は、ＡＰ４０を発見したときのチャネルを示す情報を登録するためのメモリである。メモリ２０８に登録された情報は、通信装置２０の電源をオフにしたとき消去されるものとする。
【００３５】
次に、図４を参照して通信装置２０で実行される処理の一例を説明する。図４に示す処理は、撮像装置１０及び通信装置２０がパワーオンモードであり、且つ、撮像装置１０との通信が可能であるときに開始される処理である。また、図４に示す処理は、メイン制御部２０５が不揮発性メモリ２０６内の制御プログラムに従って制御するものである。
【００３６】
ステップＳ４０１：メイン制御部２０５は、所定の起動処理を開始する。このとき、通信装置２０は、撮像装置１０に関する情報、ＡＰ４０に関する情報、ファイルサーバ５０に関する情報等を撮像装置１０から受信し、それらの情報を不揮発性メモリ２０６に格納する。
【００３７】
ステップＳ４０２：無線ＬＡＮインターフェース２０３は、所定の規則に従って全てのチャネルの中から一つのチャネルを選択し、選択したチャネルを用いてｐｒｏｂｅ  ｒｅｑｕｅｓｔを送信する。ＡＰ４０は、通信装置２０からｐｒｏｂｅ  ｒｅｑｕｅｓｔを受信した場合、ｐｒｏｂｅ  ｒｅｓｐｏｎｓｅを通信装置２０に返信する。
【００３８】
ステップＳ４０３：無線ＬＡＮインターフェース２０３は、ＡＰ４０を発見したか否かを判定する。ＡＰ４０からのｐｒｏｂｅ  ｒｅｓｐｏｎｓｅを受信できた場合、無線ＬＡＮインターフェース２０３はＡＰ４０を発見したと判定する。この場合はステップＳ４０６に進む。一方、ＡＰ４０からのｐｒｏｂｅ  ｒｅｓｐｏｎｓｅを受信できなかった場合、無線ＬＡＮインターフェース２０３はＡＰ４０を発見できなかったと判定する。この場合は他のチャネルをスキャンするためにステップＳ４０４に進む。
【００３９】
ステップＳ４０４：無線ＬＡＮインターフェース２０３は、全てのチャネルをスキャンしたか否かを判定する。全てのチャネルのスキャンが完了していない場合はステップＳ４０２に戻り、全てのチャネルのスキャンが完了した場合はステップＳ４０５に進む。
【００４０】
ステップＳ４０５：メイン制御部２０５は、表示部２０７を用いてＡＰ４０が存在しないことをユーザに警告する。その後、ステップＳ４１１に進む。
【００４１】
ステップＳ４０６：無線ＬＡＮインターフェース２０３は、ＡＰ４０を発見したときに選択していたチャネルをメイン制御部２０５に通知する。メイン制御部２０５は、ＡＰ４０を発見したときの選択チャネルを示す情報をメモリ２０８に登録する。以下、メモリ２０８に登録されたチャネルを「登録チャネル」と呼ぶ。
【００４２】
ステップＳ４０７：無線ＬＡＮインターフェース２０３は、ａｕｔｈｅｎｔｉｃａｔｉｏｎ  ｒｅｑｕｅｓｔをＡＰ４０に送信し、ＡＰ４０からのａｕｔｈｅｎｔｉｃａｔｉｏｎ  ｒｅｓｐｏｎｓｅを受信する。
【００４３】
ステップＳ４０８：無線ＬＡＮインターフェース２０３は、ａｓｓｏｃｉａｔｉｏｎ  ｒｅｑｕｅｓｔをＡＰ４０に送信し、ＡＰ４０からのａｓｓｏｃｉａｔｉｏｎ  ｒｅｓｐｏｎｓｅを受信する。ＡＰ４０からａｓｓｏｃｉａｔｉｏｎ  ｒｅｓｐｏｎｓｅを受信した後、通信装置２０はＡＰ４０との通信が可能になる。
【００４４】
ステップＳ４０９：メイン制御部２０５は、ファイルサーバ５０に転送すべき画像ファイルがバッファメモリ２０２に存在するか否かを判定する。バッファメモリ２０２に１つ以上の画像ファイルが存在する場合はステップＳ４１０に進み、バッファメモリ２０２に画像ファイルが存在しない場合はステップＳ４１１に進む。
【００４５】
ステップＳ４１０：メイン制御部２０５は、バッファメモリ２０２に格納された画像ファイルをファイルサーバ５０に順次転送する。バッファメモリ２０２に格納された全ての画像ファイルは、無線ＬＡＮインターフェース２０３に供給され、ＡＰ４０を介してファイルサーバ５０に転送される。
【００４６】
ステップＳ４１１：メイン制御部２０５は、撮像装置１０がパワーセーブモードであるか否かを判定する。撮像装置１０がパワーセーブモードであると判定された場合はステップＳ４１２に進み、撮像装置１０がパワーオンモードであると判定された場合はステップＳ４１６に進む。
【００４７】
ステップＳ４１２：メイン制御部２０５は、パワーセーブモードに移行する。パワーセーブモードに移行した後、メイン制御部２０５はＡＰ４０との通信等を停止し、省電力状態となる。
【００４８】
ステップＳ４１３：メイン制御部２０５は、撮像装置１０がパワーオンモードに復帰しているか否かを判定する。撮像装置１０がパワーオンモードであると判定された場合はステップＳ４１４に進み、撮像装置１０がパワーセーブモードであると判定された場合はステップＳ４１６に進む。
【００４９】
ステップＳ４１４：無線ＬＡＮインターフェース２０は、メモリ２０８に登録されている登録チャネルを用いてｐｒｏｂｅ  ｒｅｑｕｅｓｔを送信する。
【００５０】
ステップＳ４１５：無線ＬＡＮインターフェース２０３は、ＡＰ４０を発見したか否かを判定する。ＡＰ４０からのｐｒｏｂｅ  ｒｅｓｐｏｎｓｅを受信できた場合、無線ＬＡＮインターフェース２０３はＡＰ４０を発見したと判定する。この場合はステップＳ４０７に進む。一方、ＡＰ４０からのｐｒｏｂｅ  ｒｅｓｐｏｎｓｅを受信できなかった場合、無線ＬＡＮインターフェース２０３はＡＰ４０を発見できなかったと判定する。この場合は全てのチャネルのスキャンをやり直すためにステップＳ４０２に進む。このステップＳ４１５でＡＰ４０を発見することができれば、全てのチャネルのスキャンをやり直す必要がなくなるので、パワーセーブモードからパワーオンモードに復帰してからＡＰ４０との通信が可能になるまでの期間を短縮することができる。
【００５１】
ステップＳ４１６：メイン制御部２０５は、通信装置２０の電源がオフにされたか否かを判定する。通信装置２０の電源がオフにされていないと判定された場合はステップＳ４０９に戻る。
【００５２】
このように、第１の実施形態に係る通信装置２０によれば、パワーセーブモードからパワーオンモードに復帰してからＡＰ４０との通信が可能になるまでの期間を短縮することができる。
【００５３】
（第２の実施形態）
第１の実施形態の通信装置２０は、アクティブスキャンによるチャネル検索方法でチャネルを検索する構成であるが、パッシプスキャンによるチャネル検索方法でチャネルを検索する構成に変更してもよい。
【００５４】
（第３の実施形態）
第１の実施形態の通信装置２０は、ステップＳ４１４でｐｒｏｂｅ  ｒｅｑｕｅｓｔを送信する構成であるが、ステップＳ４１４でａｕｔｈｅｎｔｉｃａｔｉｏｎ  ｒｅｑｕｅｓｔを送信する構成に変更してもよい。この場合、ａｕｔｈｅｎｔｉｃａｔｉｏｎ  ｒｅｓｐｏｎｓｅを受信できれば、無線ＬＡＮインターフェース２０３はＡＰ４０を発見したと判定し、ステップＳ４０８に進む。また、ａｕｔｈｅｎｔｉｃａｔｉｏｎ  ｒｅｓｐｏｎｓｅを受信できなければ、無線ＬＡＮインターフェース２０３はＡＰ４０を発見できなかったと判定し、ステップＳ４０２に進む。
【００５５】
このような構成を採用することにより、パワーセーブモードからパワーオンモードに復帰してからＡＰ４０との通信が可能になるまでの期間をさらに短縮することができる。なお、この構成は、第２の実施形態にも適用することができる。
【００５６】
（第４の実施形態）
第１の実施形態の通信装置２０は、ステップＳ４１４でｐｒｏｂｅ  ｒｅｑｕｅｓｔを送信する構成であるが、ステップＳ４１４でａｓｓｏｃｉａｔｉｏｎ  ｒｅｑｕｅｓｔを送信する構成に変更してもよい。この場合、ａｓｓｏｃｉａｔｉｏｎ  ｒｅｓｐｏｎｓｅを受信できれば、無線ＬＡＮインターフェース２０３はＡＰ４０を発見したと判定し、ステップＳ４０９に進む。また、ａｓｓｏｃｉａｔｉｏｎ  ｒｅｓｐｏｎｓｅを受信できなければ、無線ＬＡＮインターフェース２０３はＡＰ４０を発見できなかったと判定し、ステップＳ４０２に進む。
【００５７】
このような構成を採用することにより、パワーセーブモードからパワーオンモードに復帰してからＡＰ４０との通信が可能になるまでの期間をさらに短縮することができる。なお、この構成は、第２の実施形態にも適用することができる。
【００５８】
（その他の実施形態）
上記の各実施形態の全て又は一部は、マイクロコンピュータ等のコンピュータで実行可能なプログラムで実現することができる。この場合、このプログラムは、このプログラムを実行するコンピュータを内蔵した装置内の記憶媒体に格納されたものであっても、このプログラムを実行するコンピュータを内蔵した装置内に装着可能な記憶媒体に格納されたものであってもよい。
【図面の簡単な説明】
【００５９】
【図１】本発明の第１の実施形態に係る撮像システムの構成の一例を示す図である。
【図２】本発明の第１の実施形態に係る撮像装置の構成の一例を示す図である。
【図３】本発明の第１の実施形態に係る通信装置の構成の一例を示す図である。
【図４】通信装置で実行される処理の一例を説明するためのフローチャートである。
【図１】
2006086596.tif 000003
【図２】
2006086596.tif 000004
【図３】
2006086596.tif 000005
【図４】
2006086596.tif 000006